(57)【要約】【課題】  本発明の目的は、電話機の保留音声コマンドを知らなくても、電話機との間で所定の情報通信を行う情報処理装置を提供することである。【解決手段】  第１の電話機（ＭＰ１）と通話可能な第２の電話機（ＭＰ２）に対して無線通信を行う無線部（２１４）と、保留音データを記憶している記憶部（２１５）と、前記第１の電話機との通話状態で、保留音の再生を選択する選択手段（２３０）と、前記保留音の再生が選択されると、前記記憶部に記憶されている保留音データを再生し、この再生された保留音を前記無線部を経由して前記第２の電話機へ送信することによって、前記再生された保留音が前記第１の電話機のスピーカから出力させる制御手段（２１６）とを有する情報処理装置。【選択図】  図２
2005295253.tif 000002
【特許請求の範囲】
【請求項１】
第１の電話機と通話可能な第２の電話機に対して無線通信を行う無線部と、
保留音データを記憶している記憶部と、
前記第１の電話機との通話状態で、保留音の再生を選択する選択手段と、
前記保留音の再生が選択されると、前記記憶部に記憶されている保留音データを再生し、この再生された保留音を前記無線部を経由して前記第２の電話機へ送信することによって、前記再生された保留音が前記第１の電話機のスピーカから出力させる制御手段と
を有する情報処理装置。
【請求項２】
前記無線部を介して前記第１の電話機と通話を行うためのマイクロフォンをさらに有し、
前記制御手段は、前記保留状態が選択されると、前記マイクロフォンの機能を停止させることを特徴とする請求項１記載の情報処理装置。
【請求項３】
前記無線部は他の情報処理装置とも無線通信しており、
前記制御手段は、前記保留音の再生が選択されると、前記記憶部に記憶されている保留音データを再生する代わりに、前記他の情報処理装置で再生された保留音データを前記無線部を経由して前記第２の電話機へ送信することによって、前記他の情報処理装置で再生された保留音が前記第１の電話機のスピーカから出力させることを特徴とする請求項１記載の情報処理装置。
【請求項４】
第１の電話機と通話可能な第２の電話機に対して無線通信を行う無線部と、
記憶部と、
前記第１の電話機との通話状態で、通話の録音を選択する選択手段と、
前記通話の録音が選択されると、前記無線部が受信した通話を前記記憶部に記憶させる制御手段と
を有する情報処理装置。
【請求項５】
前記無線部は他の情報処理装置とも無線通信しており、
前記制御手段は、前記通話の録音が選択されると、前記無線部が受信した通話を前記記憶部に記憶させる代わりに、前記他の情報処理装置に記憶させることを特徴とする請求項４記載の情報処理装置。
【発明の詳細な説明】
【技術分野】
【０００１】
本発明は、情報処理装置に関し、特に、Ｂｌｕｅｔｏｏｔｈ（登録商標）などの近距離用無線データ通信方式を用いて携帯電話機との間で情報のやり取りをする情報処理装置に関する。
【背景技術】
【０００２】
近年、携帯電話機が普及し、さらにＢｌｕｅｔｏｏｔｈ等の近距離用無線データ通信方式に対応した携帯電話機も出てきている。このＢｌｕｅｔｏｏｔｈ対応の携帯電話機と、やはりＢｌｕｅｔｏｏｔｈ対応のヘッドセットを利用することによってハンズフリーで通話することができるようになってきている。
【０００３】
このため、従来の情報処理装置では、携帯電話機から着信情報を受け取り、かつ、予め応答設定が「保留」に選択されていると、ユーザが電話に出られるまで携帯電話機を「保留」状態にして相手(発信元)を待たせるために、「保留音声コマンド」を携帯電話機に送信している。そして、携帯電話機は発信元に対して保留音声を流すように処理している（例えば特許文献１参照）。
【特許文献１】特開２００２−１３５３６７号公報（第５頁、図７）
【発明の開示】
【発明が解決しようとする課題】
【０００４】
しかし、上述した従来の情報処理装置では携帯電話機の保留音声コマンドを知らなければならず、携帯電話機の機能に依存する。
【０００５】
本発明の目的は、電話機との間で所定の情報通信を行う情報処理装置を提供することである。
【課題を解決するための手段】
【０００６】
第１の発明は、第１の電話機と通話可能な第２の電話機に対して無線通信を行う無線部と、保留音データを記憶している記憶部と、前記第１の電話機との通話状態で、保留音の再生を選択する選択手段と、前記保留音の再生が選択されると、前記記憶部に記憶されている保留音データを再生し、この再生された保留音を前記無線部を経由して前記第２の電話機へ送信することによって、前記再生された保留音が前記第１の電話機のスピーカから出力させる制御手段とを有する情報処理装置である。
【０００７】
第２の発明は、前記無線部を介して前記第１の電話機と通話を行うためのマイクロフォンをさらに有し、前記制御手段は、前記保留状態が選択されると、前記マイクロフォンの機能を停止させることを特徴とする第１の発明記載の情報処理装置である。
【０００８】
第３の発明は、前記無線部は他の情報処理装置とも無線通信しており、前記制御手段は、前記保留音の再生が選択されると、前記記憶部に記憶されている保留音データを再生する代わりに、前記他の情報処理装置で再生された保留音データを前記無線部を経由して前記第２の電話機へ送信することによって、前記他の情報処理装置で再生された保留音が前記第１の電話機のスピーカから出力させることを特徴とする第１の発明記載の情報処理装置である。
【０００９】
第４の発明は、第１の電話機と通話可能な第２の電話機に対して無線通信を行う無線部と、記憶部と、前記第１の電話機との通話状態で、通話の録音を選択する選択手段と、前記通話の録音が選択されると、前記無線部が受信した通話を前記記憶部に記憶させる制御手段とを有する情報処理装置である。
【００１０】
第５の発明は、前記無線部は他の情報処理装置とも無線通信しており、前記制御手段は、前記通話の録音が選択されると、前記無線部が受信した通話を前記記憶部に記憶させる代わりに、前記他の情報処理装置に記憶させることを特徴とする第４の発明記載の情報処理装置である。
【発明の効果】
【００１１】
本発明によれば、携帯電話機との間で所定の情報通信を行う情報処理装置を提供することができる。
【発明を実施するための最良の形態】
【００１２】
以下、本発明の実施の形態について図面を参照しながら説明する。
【００１３】
図１は、本発明の第１の実施形態に係る情報処理装置が適用される無線通信システムの概略図である。ここでは、情報処理装置の一例として、Ｂｌｕｅｔｏｏｔｈ通信方式に対応したハンズフリーヘッドセットについて説明する。図２は、第１の実施形態に係るハンズフリーヘッドセットの概略ブロック図である。
【００１４】
前提として、ハンズフリーヘッドセット１００は、同じ利用者の携帯電話機ＭＰ1（１２０）との間でＢｌｕｅｔｏｏｔｈのＨＦＰ(Hands Free Profile)の電話制御用の接続であるＳＬＣ(Service Level Connection)が行われている。
【００１５】
そして、ハンズフリーヘッドセット１００は、ＢｌｕｅｔｏｏｔｈのＳＣＯ（Synchronous Connection Oriented;音声データ送／受信用（双方向同時通話））接続１０１によって、ＭＰ1（１２０）との間で双方向音声通話が可能になっている状態である。同時にＭＰ１は相手側の携帯電話機であるＭＰ２（１３０）と公衆電話回線１０４を介して接続している。このとき、ハンズフリーヘッドセット１００は、ＭＰ１を介して、相手側ＭＰ２（１３０）との音声通話が可能となっている。
【００１６】
この状態において、ハンズフリーヘッドセット１００の「保留音再生ボタン（２３０）」を押下することにより、保留音再生機能を実行する。ハンズフリーヘッドセット１００内部のフラッシュメモリ内の保留音データファイル２１５に保存していた保留音データをＭＰ１（１２０）へ送出する（１０２）。そして、保留音データ１０５は、そのまま公衆電話回線１０４を通じてＭＰ２（１３０）が受信する。すなわち、ＭＰ２（１３０）を使用している相手側のユーザは、ハンズフリーヘッドセット１００の保留音データファイル２１５に保存されていた保留音をそのまま聞くことになる。また、保留音再生中の状態で、「保留音再生ボタン（２３０）」押下した場合は、再生を停止する。
【００１７】
このように、ＭＰ１（１２０）に内蔵されている保留音を再生させるための保留音声コマンドを送るのではなく、ハンズフリーヘッドセット１００内に記憶されている保留音データを再生してから、送信することによって、ハンズフリーヘッドセット１００はＭＰ１（１２０）の保留音声コマンドを知っている必要はなく、また、保留音データの再生機能も、データフォーマットやデータサイズなど携帯電話機の仕様によって制限されることがなくなる。
【００１８】
なお、ハンズフリーヘッドセット１００で保留音を再生している時には、マイクロフォン２１１の機能を止める（マイクロフォンＯＦＦ）ことが望ましい。なぜならば、保留音再生中であっても、相手側ＭＰ２との音声通話は可能な状態であるので、マイクロフォン２１１が動作していると、誤ってユーザの声などがＭＰ２（１３０）へ届いてしまうからである。一方、スピーカ２２０の機能は動作していてもよい。
【００１９】
同様に、ハンズフリーヘッドセット１００の「通話音声録音ボタン（２３１）」押下することにより、通話音声録音機能を実行する。相手側ＭＰ２（１３０）のユーザの音声データ１０６が、公衆電話回線１０４を通じてＭＰ１（１２０）へ送出される。音声データはさらにＢｌｕｅｔｏｏｔｈのＳＣＯ接続１０１を通じて、ハンズフリーヘッドセット１００へ送出され（１０３）、ハンズフリーヘッドセット使用者の音声と合成され、通話音声データとしてハンズフリーヘッドセット１００内部のフラッシュメモリ内の音声データファイル２２２に保存される。通話音声録音中の状態で「通話音声録音ボタン（２３１）」押下した場合は、録音を停止する。
【００２０】
このように、ＭＰ１（１２０）に内臓のメモリを使って録音させるための録音コマンドを送るのではなく、ハンズフリーヘッドセット１００の内臓メモリを使うことによって、ハンズフリーヘッドセット１００はＭＰ１（１２０）の録音コマンドを知っている必要はなく、また、録音機能も、保存するデータのフォーマットやデータサイズなど携帯電話機の仕様によって制限されることがなくなる。
【００２１】
また、保留音再生機能、通話音声録音機能は、ＭＰ２（１３０）との通話中の状態で行われるので、同時動作することも可能である。ハンズフリーヘッドセット１００のフラッシュメモリは、内部以外の記憶装置、たとえば着脱式のメモリカードなどでも可能である。
【００２２】
続いて、ハンズフリーヘッドセット１００の概略ブロック構成を説明する。マイクロフォン２１１に入力されたアナログ音声データをＡ／Ｄ変換アンプ回路２１２によってデジタル音声データに変換後、送信用データバッファ２１３に格納し、Ｂｌｕｅｔｏｏｔｈ対応のデジタルデータ変調部２１４によってハンズフリーヘッドセット近傍のＭＰ１（１２０）に送出する。また、Ｂｌｕｅｔｏｏｔｈ対応の受信部２１７によって、相手側のＭＰ２（１３０）から受信したデジタル音声データを受信用データバッファ２１８に格納し、Ｄ／Ａ変換アンプ回路２１９によってアナログ音声データに変換し、スピーカ２２０へ出力する。
【００２３】
このとき、ＭＰ１（１２０）がＭＰ２（１３０）と公衆電話回線１０４を介して接続している場合、ハンズフリーヘッドセット２１０は、ＭＰ１（１２０）を介して、ＭＰ２（１３０）との音声通話が可能となる。
【００２４】
上記の音声通話状態において、急な所用で会話を一時中断したい場合、ユーザ操作により、あらかじめ選択している音楽データを保留音データファイル２１５から取得し、デジタル送信データ生成部２１６で送信用データに変換し、デジタルデータ変調部２１４によってＭＰ１（１２０）を介し、ＭＰ２（１３０）へ送出する。
【００２５】
上記の音声通話状態において、現在の音声通話内容を録音しておきたい場合、ユーザ操作により、受信用データバッファ２１８に格納されているデジタル入力音声データと、マイクロフォン２１１から入力されＡ／Ｄ変換アンプ回路２１２によって変換したデジタル入力音声データを音声データファイル生成部２２１で合成し、音声データファイル２２２として保存する。
【００２６】
図３は、音声通話中のユーザ操作によって保留音再生機能または、通話中録音機能を実行する際のボタン処理ルーチンの処理を示すフローチャートである。まず、ハンズフリーヘッドセットのステータスが音声通話状態になっているかどうかを判別する（Ｓ３００）。音声通話状態になっていない場合は、処理を終了する。
【００２７】
音声通話状態だった場合には、「保留音再生ボタン（２３０）」が押下されたかどうかを判別する処理を実行する（Ｓ３０１）。「保留音再生ボタン（２３０）」の押下が検出された場合には、保留音の停止／再生の状態を判定する（Ｓ３０２）。保留音が再生状態だった場合には、保留音の停止処理を実行する（Ｓ３０３）。保留音が停止状態だった場合には、保留音の再生処理を実行する（Ｓ３０４）。
【００２８】
次に、「通話音声録音ボタン（２３１）」が押下されたかどうかを判別する処理を実行する（Ｓ３０５）。ボタンの押下が検出された場合には、通話音声録音機能の停止／実行中の状態を判定する（Ｓ３０６）。
【００２９】
録音中の状態だった場合には、録音停止処理を実行した後（Ｓ３０７）、最初の音声通話状態になっているかどうかの判別処理（Ｓ３００）に戻る。録音が停止状態だった場合には、録音実行処理を実行した後（Ｓ３００）、同様に判別処理（Ｓ３００）に戻る。
【００３０】
図４は、本発明の第２の実施形態に係る情報処理装置（ハンズフリーヘッドセット）が適用される無線通信システムの概略図である。第２の実施形態は、第１の実施形態ではハンズフリーヘッドセット１００で実現していた機能を、同時接続しているノートパソコン等のＰＣ４１０側で行うことができる。
【００３１】
本実施形態は、第１の実施形態に加え、ハンズフリーヘッドセット４００と音楽再生機能および音楽データ保存機能を具備しているＰＣ４１０をＢｌｕｅｔｏｏｔｈでＡ２ＤＰ（Advanced Audio Distribution Profile；音楽データ送信用（通常は片方だけで高品質））接続４０１している状態において、ハンズフリーヘッドセット側のボタン操作により、ＰＣ４１０の内部または外部記憶装置からハンズフリーヘッドセット１００へ再生した保留音データを送出したり（４０２）、また、ハンズフリーヘッドセット１００からの音声通話データをＰＣ４１０へ送出し（４０３）、内部または外部記憶装置に保存することができる。
【００３２】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、ハンズフリーヘッドセット本体にスライドスイッチ２３２のようなモード選択手段を設けることで、スライドスイッチの位置によって、第１または第２の実施形態のような再生元や、保存先をユーザが任意に選択することが可能になる。このスライドスイッチによって下記のような使い分けができる。ＨＳの場合、ハンズフリーヘッドセットから保留音データを送信、または、ヘッドセットに通話音声データを保存できる。一方、ＰＣの場合、ＰＣから保留音データを送信、または、ＰＣへ通話音声データを保存できる。さらに、保留音データと録音済みの音声データを組み合わせることで、ＢＧＭ付きの留守電メッセージデータとして利用できる。加えて、外部から電話がかかってきた場合、受話直後、電話に出る前に保留音のメッセージを流しておくことで、電話をかけてきた相手が誰なのか確認を行うことができる。
【図面の簡単な説明】
【００３３】
【図１】第１の実施形態に係る情報処理装置が適用される無線通信システムの概略図。
【図２】第１の実施形態に係る情報処理装置（ハンズフリーヘッドセット）の概略ブロック図。
【図３】第１の実施形態に係る音声通話中の保留音再生機能または、通話中録音機能の処理を示すフローチャート。
【図４】第２の実施形態に係る情報処理装置（ハンズフリーヘッドセット）が適用される無線通信システムの概略図。
【符号の説明】
【００３４】
１００  ハンズフリーヘッドセット
１０４  公衆電話回線
１２０  ヘッドセット側の携帯電話機（ＭＰ１）
１３０  通話相手側の携帯電話機（ＭＰ２）
２１１  マイクロフォン
２１２  Ａ／Ｄ変換アンプ回路
２１３  送信用データバッファ
２１４  デジタルデータ変調部
２１５  保留音データファイル
２１６  デジタル送信データ生成部
２１７  受信部
２１８  受信用データバッファ
２１９  Ｄ／Ａ変換アンプ回路
２２０  スピーカ
２２１  音声データファイル生成部
２２２  音声データファイル
２３０  保留音再生ボタン
２３１  通話音声録音ボタン
２３２  スライドスイッチ
２３０  保留音再生ボタン
４１０  ＰＣ
【図１】
2005295253.tif 000003
【図２】
2005295253.tif 000004
【図３】
2005295253.tif 000005
【図４】
2005295253.tif 000006